【手続補正書】
【提出日】平成19年8月14日(2007.8.14)
【手続補正１】
【補正対象書類名】明細書
【補正対象項目名】発明の名称
【補正方法】変更
【補正の内容】
【発明の名称】ＵＲＬ通知サービス装置及び方法
【手続補正２】
【補正対象書類名】明細書
【補正対象項目名】特許請求の範囲
【補正方法】変更
【補正の内容】
【特許請求の範囲】
【請求項１】  公衆電話網とインターネットとに接続し、公衆電話網を介して発呼してきたユーザへ電子メールを送信することによってＵＲＬを通知する装置であって、
公衆電話網を介してユーザの発呼に着信応答する着信応答手段と、
ユーザの電話番号と電話端末より入力されたコード番号とを取得する番号取得手段と、
コード番号にＵＲＬが対応づけされて記録されたコード番号／ＵＲＬ対照表と、
前記取得した電話番号に対応づけられたメールアドレスを得る電話番号／メールアドレス変換手段と、
前記取得したコード番号に基づいて前記コード番号／ＵＲＬ対照表から対応するＵＲＬを引き出し、そのＵＲＬが記述された電子メールを作成し、前記得られたメールアドレス宛に前記電子メールを発信するメール発信手段と、
を備えたことを特徴とするＵＲＬ通知サービス装置。
【請求項２】 前記電話番号／メールアドレス変換手段は、前記取得した電話番号の数字列を所定の規則で編集加工することで、当該電話番号に対応付けられたメールアドレスを生成することを特徴とする請求項１に記載のＵＲＬ通知サービス装置。
【請求項３】  電話番号とメールアドレスとが対応づけて記憶された電話番号／メールアドレス対照表を備え、
前記電話番号／メールアドレス変換手段は、前記電話番号／メールアドレス対照表から前記取得した電話番号に対応付けられたメールアドレスを引き出すことを特徴とする請求項１に記載のＵＲＬ通知サービス装置。
【請求項４】  電話番号とメールアドレスとを対応づけて記憶した電話番号／メールアドレス対照表を備え、
前記電話番号／メールアドレス変換手段は、前記取得した電話番号の数字列を所定の規則で編集加工してすることで当該電話番号に対応付けられたメールアドレスを生成し、又は、前記電話番号／メールアドレス対照表から前記電話番号に対応付けられたメールアドレスを引き出すことを特徴とする請求項１に記載のＵＲＬ通知サービス装置。
【請求項５】  公衆電話網とインターネットとに接続し、公衆電話網を介して発呼してきたユーザへ電子メールを送信する装置により、当該ユーザへＵＲＬを通知する方法であって、前記装置が、
公衆電話網を介してユーザの発呼に着信応答するとともに、ユーザの電話番号を取得するステップと、
前記応答に応じて電話端末より入力されたコード番号を取得するステップと、
前記取得した電話番号に対応づけられたメールアドレスを得るステップと、
前記取得したコード番号に基づいて、コード番号にＵＲＬが対応づけされて記録されたコード番号／ＵＲＬ対照表から対応するＵＲＬを引き出し、そのＵＲＬが記述された電子メールを生成し前記得られたメールアドレス宛に前記電子メールを発信するステップと、
を実行することを特徴とするＵＲＬ通知サービス方法。
【手続補正３】
【補正対象書類名】明細書
【補正対象項目名】０００８
【補正方法】変更
【補正の内容】
【０００８】
この発明は、以上のような問題に鑑みてなされたもので、その目的は、電話による問い合わせに対してＵＲＬを正確かつ効率良く通知することができるとともに、通知したＵＲＬのホームページへのアクセスを、繁雑な入力操作を強いることなく、簡単かつ迅速に行わせることができるＵＲＬ通知サービス装置及び方法を提供することにある。
【手続補正４】
【補正対象書類名】明細書
【補正対象項目名】０００９
【補正方法】変更
【補正の内容】
【０００９】
【課題を解決するための手段】
前述した解決を解決するため、本発明は、公衆電話網とインターネットとに接続し、公衆電話網を介して発呼してきたユーザへ電子メールを送信することによってＵＲＬを通知する装置であって、
公衆電話網を介してユーザの発呼に着信応答する着信応答手段と、
ユーザの電話番号と電話端末より入力されたコード番号とを取得する番号取得手段と、
コード番号にＵＲＬが対応づけされて記録されたコード番号／ＵＲＬ対照表と、
前記取得した電話番号に対応づけられたメールアドレスを得る電話番号／メールアドレス変換手段と、
前記取得したコード番号に基づいて前記コード番号／ＵＲＬ対照表から対応するＵＲＬを引き出し、そのＵＲＬが記述された電子メールを作成し、前記得られたメールアドレス宛に前記電子メールを発信するメール発信手段と、
を備えたことを特徴とする。
【手続補正５】
【補正対象書類名】明細書
【補正対象項目名】００１０
【補正方法】変更
【補正の内容】
【００１０】
また、本発明において、前記電話番号／メールアドレス変換手段は、前記取得した電話番号の数字列を所定の規則で編集加工することで、当該電話番号に対応付けられたメールアドレスを生成することとしてもよい。
【手続補正６】
【補正対象書類名】明細書
【補正対象項目名】００１１
【補正方法】変更
【補正の内容】
【００１１】
また、本発明において、電話番号とメールアドレスとが対応づけて記憶された電話番号／メールアドレス対照表を備え、  前記電話番号／メールアドレス変換手段は、前記電話番号／メールアドレス対照表から前記取得した電話番号に対応付けられたメールアドレスを引き出すこととしてもよい。
【手続補正７】
【補正対象書類名】明細書
【補正対象項目名】００１２
【補正方法】変更
【補正の内容】
【００１２】
さらに、本発明において、電話番号とメールアドレスとを対応づけて記憶した電話番号／メールアドレス対照表を備え、
前記電話番号／メールアドレス変換手段は、前記取得した電話番号の数字列を所定の規則で編集加工してすることで当該電話番号に対応付けられたメールアドレスを生成し、又は、前記電話番号／メールアドレス対照表から前記電話番号に対応付けられたメールアドレスを引き出すこととしてもよい。
また、本発明は、公衆電話網とインターネットとに接続し、公衆電話網を介して発呼してきたユーザへ電子メールを送信する装置により、当該ユーザへＵＲＬを通知する方法であって、前記装置が、
公衆電話網を介してユーザの発呼に着信応答するとともに、ユーザの電話番号を取得するステップと、
前記応答に応じて電話端末より入力されたコード番号を取得するステップと、
前記取得した電話番号に対応づけられたメールアドレスを得るステップと、
前記取得したコード番号に基づいて、コード番号にＵＲＬが対応づけされて記録されたコード番号／ＵＲＬ対照表から対応するＵＲＬを引き出し、そのＵＲＬが記述された電子メールを生成し前記得られたメールアドレス宛に前記電子メールを発信するステップと、
を実行することを特徴とする。
【手続補正８】
【補正対象書類名】明細書
【補正対象項目名】００２６
【補正方法】変更
【補正の内容】
【００２６】
【発明の効果】
以上説明したように、本発明によれば、電話によるＵＲＬの問い合わせに自動着信応答するとともに、発呼側端末からコード番号を取得して、この取得コード番号にあらかじめ対応づけられているＵＲＬを記述した電子メールを、発呼者の電話番号に基づいて得られる電子メールアドレス宛に送信することにより、電話による問い合わせに対してＵＲＬを正確かつ効率良く通知することができるとともに、通知したＵＲＬのホームページへのアクセスを、繁雑な入力操作を強いることなく、簡単かつ迅速に行わせることができる。